(57)【特許請求の範囲】
【請求項１】
第１の伝票と、
前記第１の伝票の下側に配置された第２の伝票と、
前記第２の伝票の下側に配置された第３の伝票と、
前記第２の伝票の上面側の所定領域に設けられ、発色剤と顕色剤とを有し、前記第１の伝票の上面に記録された情報を前記第２の伝票の上面及び前記第１の伝票の下面に複写させる第１の情報複写層と、
前記第３の伝票の上面側の前記第１の情報複写層が設けられた領域と厚み方向において重なる領域に設けられ、発色剤と顕色剤とを有し、前記第１の伝票の上面に記録された情報を、前記第１の情報複写層により前記第２の伝票の上面に複写される情報の色彩と異なる色彩で、前記第３の伝票の上面及び前記第２の伝票の下面に複写させる第２の情報複写層と
を備える複写伝票。
【請求項２】
請求項１に記載の複写伝票において、
前記第１及び第２の情報複写層は、前記第１の伝票及び前記第２の伝票の金額の記入欄の領域と厚み方向において重なる領域に設けられていること
を特徴とする複写伝票。
【発明の詳細な説明】
【０００１】
【発明の属する技術分野】
この発明は、複数枚の伝票が重ねられ、上側の伝票に記録した情報が選択的にその下側の伝票に複写される複写伝票に関するものである。
【０００２】
【従来の技術】
従来より、入金票と領収書とを有する複写伝票が広く使用されている。ここで、入金票と領収書とで異なる金額を記入するという不正行為が行われる場合があった。例えば、入金票には真の金額を記入するが、客に渡す領収書には、実際の金額より多い金額を記入し、その差額を不正に受け取ることが行われた経緯がある。かかる不正行為を防止するためのものとして、以下の複写伝票が知られている。
【０００３】
図３は、従来の複写伝票の一例を分解して示す断面図である。複写伝票１０は、記入者控え票１１と、領収書１２と、入金連絡票１３とが重ねられたものである。記入者控え票１１上に情報が記録されると、その情報が選択的にその下側の領収書１２及び入金連絡票１３に複写される。
記入者控え票１１の下面（裏面）側には、発色剤層１１ａが設けられている。発色剤層１１ａは、外径が数μｍ程度の大きさのマイクロカプセル中にロイコ染料等の発色色素を封入した発色カプセルを含有した層である。マイクロカプセル中に発色色素を封入する方法としては、コアセルベーション法や、界面重合法等があげられる。
【０００４】
また、領収書１２の上面側には、顕色剤層１２ａが設けられている。顕色剤層１２ａは、発色剤層１１ａの発色色素と反応することにより、発色する層である。さらに、領収書１２の下面側には、発色剤層１２ｂが設けられている。また、入金連絡票１３の上面側には、発色剤層１２ｂと反応して発色する顕色剤層１３ａが設けられている。
ここで、発色剤層１２ｂと顕色剤層１３ａとが反応して発色する色彩は、発色剤層１１ａと顕色剤層１２ａとが反応して発色する色彩と異なる色彩である。
【０００５】
記入者控え票１１に、金額その他の情報が記録されると、その印字圧又は筆圧により、発色剤層１１ａのマイクロカプセルが破砕され、顕色剤層１２ａと反応して発色する。これにより、領収書１２上には、情報が複写される。さらに、この印字圧又は筆圧により、発色剤層１２ｂのマイクロカプセルが破砕され、顕色剤層１３ａと反応して発色する。これにより、入金連絡票１３上には、情報が複写される。そして、領収書１２上に複写された情報と、入金連絡票１３上に複写された情報との色彩が異なる。
【０００６】
従って、例えば２枚目の領収書１２を抜き取って情報を複写した場合には、記入者控え票１１の発色剤層１１ａと入金連絡票１３の顕色剤層１３ａとによって入金連絡票１３上に情報が複写されることとなるので、本来の色彩とは異なる色彩で情報が複写されることとなる。よって、入金連絡票１３に複写された情報の色彩を見れば、複写伝票１０の不正使用を一目で確認することができるとともに、領収書１２の偽造を牽制することができる。
【０００７】
【発明が解決しようとする課題】
しかし、前述の従来の複写伝票１０では、領収書１２が偽造されてしまう場合があった。
すなわち、使用する複写伝票１０の領収書１２を抜き出して、この領収書１２に実際の金額と異なる金額を記入する。そして、使用する複写伝票１０の記入者控え票１１と入金連絡票１３との間に、別の複写伝票１０から抜き取った領収書１２を挟んで複写すれば、本来の色彩で入金連絡票１３に金額を複写することができる、という問題があった。
本発明の課題は、複写伝票において不正な情報の複写を牽制することにある。
【０００８】
【課題を解決するための手段】
上述の課題を解決するために、請求項１の発明は、第１の伝票と、前記第１の伝票の下側に配置された第２の伝票と、前記第２の伝票の下側に配置された第３の伝票と、前記第２の伝票の上面側の所定領域に設けられ、発色剤と顕色剤とを有し、前記第１の伝票の上面に記録された情報を前記第２の伝票の上面及び前記第１の伝票の下面に複写させる第１の情報複写層と、前記第３の伝票の上面側の前記第１の情報複写層が設けられた領域と厚み方向において重なる領域に設けられ、発色剤と顕色剤とを有し、前記第１の伝票の上面に記録された情報を、前記第１の情報複写層により前記第２の伝票の上面に複写される情報の色彩と異なる色彩で、前記第３の伝票の上面及び前記第２の伝票の下面に複写させる第２の情報複写層とを備える複写伝票である。
【０００９】
請求項２の発明は、 請求項１に記載の複写伝票において、前記第１及び第２の情報複写層は、前記第１の伝票及び前記第２の伝票の金額の記入欄の領域と厚み方向において重なる領域に設けられていることを特徴とする複写伝票である。
【００１１】
【発明の実施の形態】
以下、図面等を参照して、本発明の一実施形態について説明する。図１は、本発明による複写伝票の一実施形態を分解して示す断面図である。図１において、複写伝票２０は、従来例と同様に、記入者控え票２１と、領収書２２と、入金連絡票２３とを有している。
記入者控え票２１の下面（裏面）側には、発色剤層２１ａが設けられている。発色剤層２１ａは、図３で示した発色剤層１１ａと同様のものである。特に、この実施形態では、発色剤層２１ａは、黄色の発色色素を有するものである。
【００１２】
領収書２２の上面側には、自己発色層２２ａが設けられている。自己発色層２２ａは、発色剤と顕色剤との双方を有するものであり、印字圧や筆圧等が作用すると、それ自体で発色可能な層である。この実施形態での自己発色層２２ａは、発色剤を含有する層と顕色剤を含有する層とが積層された層である。自己発色層２２ａにおいては、発色剤と顕色剤との双方が、上述したマイクロカプセルに封入されている。そして、発色剤と顕色剤とは、液状体であり、軟質のワックス系材料を含むものである。特に、この実施形態での自己発色層２２ａの発色剤は、青色の発色色素を有するものである。
【００１３】
一方、領収書２２の下面側には、発色剤層２２ｂが設けられている。また、入金連絡票２３の上面側には、発色剤層２２ｂと反応して発色する顕色剤層２３ａが設けられている。ここで、発色剤層２２ｂに含有された発色色素は、自己発色層２２ａに含有された発色色素（青色）と異なるものである。
【００１４】
記入者控え票２１に、金額その他の情報が記録されると、その印字圧又は筆圧により、発色剤層２１ａの発色剤のマイクロカプセル、及び自己発色層２２ａの発色剤及び顕色剤のマイクロカプセルが破砕される。これにより、領収書２２上には、主として自己発色層２２ａの発色剤と顕色剤とが反応して発色し、青みの強い緑色（黄色と青色との混合色）で情報が複写される。
【００１５】
また、記入者控え票２１の裏面上には、主として発色剤層２１ａの発色剤と自己発色層２２ａの顕色剤とが反応して発色し、黄色みの強い緑色で情報が複写される。これは、自己発色層２２ａの顕色剤がワックス系材料を含む液状体であるので、反対面側に転移しやすくなっているためである。なお、記入者控え票２１の裏面においては、情報は、鏡像となる。図２は、このときの領収書２２の上面に複写された情報（図中（ａ））と、記入者控え票２１の裏面に複写された情報（図中（ｂ））とを示す図である。
さらに、上記印字圧又は筆圧により、発色剤層２２ｂのマイクロカプセルが破砕され、顕色剤層２３ａと反応して発色する。これにより、入金連絡票２３上には、情報が複写される。ここで、入金連絡票２３上に複写された情報の色彩は、領収書２２上に複写された情報の色彩と異なる。
【００１６】
従って、例えば２枚目の領収書２２を抜き取って情報を複写した場合には、記入者控え票２１の発色剤層２１ａと入金連絡票２３の顕色剤層２３ａとによって入金連絡票２３上に情報が複写されることとなるので、本来の色彩とは異なる色彩で入金連絡票２３上に情報が複写されることとなる。よって、複写伝票２０の不正使用を一目で確認することができるとともに、領収書の偽造を牽制することができる。また、領収書２２を抜き取って情報を複写した場合には、記入者控え票２１の裏面側には情報は複写されない。従って、記入者控え票２１の裏面側を見ることでも、複写伝票２０の不正の有無を判別することができる。
【００１７】
以上、本発明の一実施形態について説明したが、本発明は、上述した実施形態に限定されることなく、均等の範囲内で例えば以下のような種々の変形が可能である。
（１）記入者控え票２１の裏面側に設けた発色剤層２１ａは、必ずしも設ける必要はない。領収書２２側に自己発色層２２ａを設ければ、記入者控え票２１の裏面側に情報を複写させることは可能である。ただし、このときは、記入者控え票２１の裏面側に複写される情報と、領収書２２の上面側に複写される情報とは、同一の色彩になる。
（２）領収書２２の上面側の自己発色層２２ａは、略全面に形成しても良いが、例えば金額記入欄の領域にのみグラビア印刷等によってパターン状に形成しても良い。このようにすれば、さらに不正行為が困難となる。
【００１８】
（３）領収書２２の下面側には発色剤層２２ｂを形成せずに、入金連絡票２３の上面側に発色剤と顕色剤とを有する自己発色層を設けても、同様の効果が得られる。
（４）実施形態での自己発色層２２ａは、発色剤を含有する層と顕色剤を含有する層とが積層された層を示したが、これに限らず、発色剤と顕色剤とを混合した１層型のものでも良い。
【００１９】
【発明の効果】
以上説明したように、本発明によれば、第２の伝票に情報が複写されるときに第１の伝票の裏面側に情報が複写されるようにしたので、第１の伝票の裏面を見ることにより複写伝票の不正使用の有無を一目で判別することができる。また、第２の伝票の偽造を牽制することができる。
【００２０】
そして、第２の伝票に複写される色彩と異なる色彩で第３の伝票に複写されるので、第２の伝票を抜き取って第３の伝票に情報を複写することができなくなり、第２の伝票の偽造をより効果的に牽制することができる。
さらに、第１，第２の伝票の金額の記入欄の領域に第１及び第２の情報複写層が設けられているので、第２の伝票が領収書等である場合の偽造を牽制することができる。
【図面の簡単な説明】
【図１】本発明による複写伝票の一実施形態を分解して示す断面図である。
【図２】領収書２２の上面に複写された情報と、記入者控え票２１の裏面に複写された情報とを示す図である。
【図３】従来の複写伝票の一例を分解して示す断面図である。
【符号の説明】
２０  複写伝票
２１  記入者控え票
２１ａ  発色剤層
２２  領収書
２２ａ  自己発色層
２２ｂ  発色剤層
２３  入金連絡票
２３ａ  顕色剤層
【図１】
0003827371.tif 000002
【図２】
0003827371.tif 000003
【図３】
0003827371.tif 000004